(57)【要約】  本明細書に記載されるのは、視覚メディアにおける差分を減少させるプロセス、システム及び装置である。望ましくない差分は、輝度及び／色における望ましくないコントラストを含む。また本明細書に示すのは、所望の差分を生成するために制限されてきた信号、ビデオフレーム及びビデオストリームである。さらに本明細書に記載されるのは、視覚メディアの視聴者の偏頭痛、吐き気及び神経性発作を導く要因を減少させる方法である。【選択図】  図１
2011519500.tif 000002
【特許請求の範囲】
【請求項１】
視覚メディアの差分を減少させるシステムであって、前記システムは、
（a）ビデオフレーム内のフレームサブユニット間の最大差分を設定するインプットを受信するよう構成されたモジュール、もしくは該インプットを設定するよう構成されたモジュールと、
（b）ビデオフレーム（n）内の複数のフレームサブユニットを互いに比較するよう構成されたモジュールと、
（c）１もしくはそれより多いビデオフレーム(n)のフレームサブユニットが１もしくはそれより多い他のビデオフレーム（n）のサブユニットと、前記最大差分よりも大きい量、異なるかどうかを決定するよう構成されるモジュールと、
（d）フレーム（n）の制限されたフレームサブユニットを形成するために、１もしくはそれより多い他のビデオフレーム（n）のサブユニットとは前記最大差分よりも大きい量異なる１もしくはそれより多いフレーム（n）のフレームサブユニットを制限するよう構成されたモジュールを備えることを特徴とする、システム。
【請求項２】
前記差分は、輝度、色又はこれらの組み合わせの差分であることを特徴とする、請求項１記載のシステム。
【請求項３】
（a）ビデオストリームのビデオフレーム（n）をバッファリングするように構成されるモジュールと、（b）ビデオフレーム（n）を前記複数のフレームサブユニットにデコードするよう構成されるモジュールをさらに備えることを特徴とする、請求項１記載のシステム。
【請求項４】
前記システムはさらに、モジュールを備え、該モジュールは、ビデオフレーム（n）の少なくとも１つの制限されたフレームサブユニットを有するビデオフレーム（n）のフレームサブユニットを組み立てて、補正されたビデオフレーム（n）として、組み立てられたフレームサブユニットの組み立てられたマトリックスを形成するよう構成されることを特徴とする、請求項１記載のシステム。
【請求項５】
前記複数のフレームサブユニットは、MPEGマクロブロックであることを特徴とする、請求項１記載のシステム。
【請求項６】
前記最大差分は、自動的に設定される、ユーザにより設定される、前もって定義される、工場で設定されるもしくはこれらの組合せであることを特徴とする、請求項１記載のシステム。
【請求項７】
フレーム（n）の前記制限されたフレームサブユニットは、前記最大差分よりも大きい量、フレーム(n)の１もしくはそれより多い非制限フレームサブユニットとは異ならないことを特徴とする、請求項１記載のシステム。
【請求項８】
視覚メディアの差分を減少させるシステムであって、該システムは、
（a）ビデオフレーム（n）のフレームサブユニットと先行するビデオフレーム（n-x）のフレームサブユニットとの間の最大差分を設定するインプットを受信するよう構成されたモジュール、もしくは該インプットを設定するよう構成されたモジュールと、
（b）ビデオフレーム（n）のフレームサブユニットと、ビデオフレーム（n-x）のフレームサブユニットを比較するよう構成されたモジュールと、
（c）ビデオフレーム(n)のフレームサブユニットがビデオフレーム（n-x）のフレームサブユニットと、最大差分よりも大きい量、異なるかどうかを決定するよう構成されるモジュールと、
（d）フレーム（n）の制限されたフレームサブユニットを形成するために、ビデオフレーム（n-x）のサブユニットとは最大差分よりも大きい量異なるフレーム（n）のフレームサブユニットを制限するよう構成されたモジュールを備え、
ビデオフレーム（n-x）は、ビデオフレーム（n）よりｘフレーム前のビデオフレームであることを特徴とする、システム。
【請求項９】
前記差分は、輝度、色又はこれらの組み合わせの差分であることを特徴とする、請求項８記載のシステム。
【請求項１０】
前記差分は輝度であり、ビデオフレーム(n)の前記フレームサブユニットが、ビデオフレーム（n-x）のフレームサブユニットと、前記最大輝度差分よりも大きい量、異なるかどうかを決定するよう構成されるモジュールが構成されることで、ビデオフレーム（n）のフレームサブユニットの前記輝度が、ビデオフレーム（n-x）の前記フレームサブユニットにおける前記輝度よりも、前記最大輝度差分より大きい量、大きいかどうかを決定することを特徴とする、請求項９記載のシステム。
【請求項１１】
前記システムはさらにモジュールを備え、該モジュールはビデオストリームのビデオフレーム（n）と（n-x）をバッファリングするとともに、ビデオフレーム（n）と（n-x）を複数のフレームサブユニットにデコードするよう構成されることを特徴とする、請求項８記載のシステム。
【請求項１２】
前記システムはさらにモジュールを備え、該モジュールは、ビデオフレーム（n）の少なくとも１つの制限されたフレームサブユニットを有するビデオフレーム（n）のフレームサブユニットを組み立てて、補正されたビデオフレーム（n）として、組み立てられたフレームサブユニットの組み立てられたマトリックスとするよう構成されることを特徴とする、請求項８記載のシステム。
【請求項１３】
前記フレームサブユニットはMPEGマクロブロックであることを特徴とする請求項８記載のシステム。
【請求項１４】
前記最大差分は、自動的に設定される、ユーザにより設定される、前もって定義される、工場で設定されるもしくはこれらの組合せであることを特徴とする、請求項８記載のシステム。
【請求項１５】
フレーム（n）の制限されたフレームサブユニットは、比較されるフレーム（n-x）のフレームサブユニットとは、最大差分よりも大きい量異ならないことを特徴とする、請求項８記載のシステム。
【請求項１６】
視覚メディアにおける差分を減少させるシステムであって、前記システムは、
（a）ビデオフレーム内のフレームサブユニット間の最大差分を設定するインプットを受信するよう構成されたモジュール、もしくは該インプットを設定するよう構成されたモジュールと、
（b）ビデオフレーム（n）内の複数のフレームサブユニットを互いに比較するよう構成されたモジュールと、
（c）１もしくはそれより多いビデオフレーム(n)のフレームサブユニットが１もしくはそれより多い他のビデオフレーム（n）のサブユニットと、前記最大差分よりも大きい量、異なるかどうかを決定するよう構成されるモジュールと、
（d）フレーム（n）の制限されたフレームサブユニットを形成するために、１もしくはそれより多い他のビデオフレーム（n）のサブユニットとは前記最大差分よりも大きい量異なる１もしくはそれより多いフレーム（n）のフレームサブユニットを制限するよう構成されたモジュールと、
（e）ビデオフレーム（n）のフレームサブユニットと先行するビデオフレーム（n-x）のフレームサブユニットとの間の最大差分を設定するインプットを受信するよう構成されたモジュール、もしくは該インプットを設定するよう構成されたモジュールと、
（f）ビデオフレーム（n）のフレームサブユニットと、ビデオフレーム（n-x）のフレームサブユニットを比較するよう構成されたモジュールと、
（g）ビデオフレーム(n)の前記フレームサブユニットがビデオフレーム（n-x）の前記フレームサブユニットと、前記最大差分よりも大きい量、異なるかどうかを決定するよう構成されるモジュールと、
（h）フレーム（n）の制限されたフレームサブユニットを形成するために、ビデオフレーム（n-x）のサブユニットとは前記最大差分よりも大きい量異なるフレーム（n）のフレームサブユニットを制限するよう構成されたモジュールを備え、
ビデオフレーム（n-x）は、ビデオフレーム（n）よりxフレーム前のビデオフレームであることを特徴とする、システム。
【請求項１７】
請求項１で説明されたシステムにより制限されてきたフレームサブユニットを備えることを特徴とする、ビデオフレームを送信する信号。
【請求項１８】
読み取り可能なメディア上に保存される制限されたビデオフレームであって、該制限されたビデオフレームは少なくとも１の制限されたフレームサブユニットを有し、前記制限されたフレームサブユニットは、最大差分よりも大きい量、１又はそれより多い非制限フレームサブユニットとは異ならないことを特徴とする、制限されたビデオフレーム。
【請求項１９】
前記最大差分は、輝度、色又はこれらの組み合わせの差分から選択されることを特徴とする、請求項１８記載の制限されたビデオフレーム。
【請求項２０】
前記最大差分は、自動的に設定される、ユーザにより設定される、前もって定義される、工場で設定されるもしくはこれらの組合せであることを特徴とする、請求項１８記載のシステム。
【請求項２１】
（a）オーディオフレーム(m)の音量及び／もしくはピッチと、先行するオーディオフレーム(m-z)の音量及び／又はピッチとの間の最大差分を設定するインプットを受信するよう構成されたインプットもしくは、該インプットを設定するよう構成されたモジュールと、
（b）オーディオフレーム(m)の前記音量及び／又はピッチを、オーディオフレーム(m-z)の前記音量及び／又はピッチと比較するよう構成されたモジュールと、
（c）オーディオフレーム(m)の前記フレームサブユニットは、オーディオフレーム(m-z)の前記フレームサブユニットとは、前記最大差分より大きい量、異なるかどうかを決定するよう構成されるモジュールと、
（d）制限されたオーディオフレーム（ｍ）を形成するために、オーディオフレーム（m-z）の音量及び／ピッチとは前記最大差分よりも大きい量異なるフレーム(m)の音量及び／又はピッチを制限するよう構成されたモジュールを備え、
ビデオフレーム（m-z）は、ビデオフレーム（m）よりzフレーム前のオーディオフレームであることを特徴とする、請求項１乃至１６いずれか記載のシステム。
【請求項２２】
xが１から１００であることを特徴とする、請求項１乃至２１いずれか記載のシステム。
【請求項２３】
zが１から１００であることを特徴とする、請求項２１もしくは請求項２２記載のシステム。
【請求項２４】
ビデオフレーム及びオーディオフレームを送信する信号であって、前記信号は、請求項２１で説明されたシステムにより制限されてきたオーディオフレームを備えることを特徴とする、信号。
【発明の詳細な説明】
【技術分野】
【０００１】
本出願は、「Reducing Differentials in Visual Media」というタイトルが付された、２００８年２月１日出願の米国特許出願第１２／０５０，８２４号の優先権を主張するものであり、全体を参照することにより、本明細書に組み込まれるものとする。
【０００２】
米国において、９９％の世帯が少なくとも１つのテレビを有する。テレビは平均で、１日につき６時間つけられている。毎年、米国では、２５００億時間テレビが観られている。米国人の５６％は、毎年何らかのケーブルテレビに対して支払いをしている。約６００万のビデオが米国の視覚メディア視聴者により毎日レンタルされているが、彼らは解明不可能な偏頭痛、吐き気及び頭痛に遭遇する。
【背景技術】
【０００３】
本明細書は、視覚メディアの差分を減少させるシステム、方法、装置について記載されている。差分は、輝度、色もしくはこれらの組合せを含む。本明細書は、視覚メディアにおいて減少された差分を提供するために限定された信号について記載されている。さらに、本明細書は、減少された差分を提供するために限定されたビデオフレーム及びビデオストリームについて記載される。更に本明細書は、減少された差分を提供するために限定されたビデオストリームを視聴者に提供することで、視覚メディアの視聴者の神経性発作（neuronal paroxysms）及び他の神経学的疾患の発生を減少させる方法について記載されている。
【発明の概要】
【課題を解決するための手段】
【０００４】
本明細書の特定の実施形態では、視覚メディアにおける差分を減少させるシステムが提供される。該システムは、a)ビデオフレーム内のフレームサブユニット間の最大差分を設定するインプットを受信するよう構成されたモジュール、もしくは該インプットを設定するよう構成されたモジュールと、b)ビデオフレーム（n）内の複数のフレームサブユニットを互いに比較するよう構成されたモジュールと、c)１もしくはそれより多いビデオフレーム(n)が１もしくはそれより多い他のビデオフレーム（n）と、最大差分よりも大きい量、異なるかどうかを決定するよう構成されるモジュールと、d)フレーム（n）の制限されたフレームサブユニットを形成するために、１もしくはそれより多い他のビデオフレーム（n）とは最大差分よりも大きい量異なる１もしくはそれより多いフレーム（n）を制限するよう構成されたモジュールを備える。
【０００５】
いくつかの実施形態において、限定することではないが、差分は、輝度、色もしくはこれらの組合せの差分である。特定の実施形態において、最大差分は、自動的に設定される、ユーザにより設定される、前もって定義される、工場で設定されるもしくはこれらの組合せである。
【０００６】
特定の実施形態において、フレームサブユニットのそれぞれは、約１％に満たないビデオフレームを備える。いくつかの実施形態において、複数のフレームサブユニットは、ビデオストリームのビデオフレームからデコードされる。いくつかの実施形態において、複数のフレームサブユニットは、MPEGマクロブロックである。
【０００７】
特定の実施形態において、本明細書において提供されるシステムはさらに、a.ビデオストリームのビデオフレーム（n）をバッファリングするように構成されるモジュールと、b.ビデオフレーム（n）を複数のフレームサブユニットにデコードするよう構成されるモジュールを備える。
【０００８】
更なるもしくは代替的な実施形態において、システムは更に、モジュールを備え、該モジュールは、ビデオフレーム（n）の少なくとも１つの制限されたフレームサブユニットを有するビデオフレーム（n）のフレームサブユニットを組み立てて、補正されたビデオフレーム（n）として、組み立てられたフレームサブユニットの組み立てられたマトリックスを形成するよう構成される。
【０００９】
いくつかの実施形態において、フレーム（n）の制限されたフレームサブユニットは、１もしくはそれより多い限定されないフレームサブユニットとは、最大差分より大きい量、異ならない。
【００１０】
本明細書において特定の実施形態で提供されるのは、視覚メディアにおいて差分を減少させるシステムである。該システムは、a.ビデオフレーム（n）のフレームサブユニットと先行するビデオフレーム（n-x）のフレームサブユニットとの間の最大差分を設定するインプットを受信するよう構成されたモジュール、もしくは該インプットを設定するよう構成されたモジュールと、b.ビデオフレーム（n）のフレームサブユニットと、ビデオフレーム（n-x）のフレームサブユニットを比較するよう構成されたモジュールと、c.ビデオフレーム(n)のフレームサブユニットがビデオフレーム（n-x）のサブユニットと、最大差分よりも大きい量、異なるかどうかを決定するよう構成されるモジュールと、d. フレーム（n）の制限されたフレームサブユニットを形成するために、ビデオフレーム（n-x）のサブユニットとは最大差分よりも大きい量異なるフレーム（n）のフレームサブユニットを制限するよう構成されたモジュールを備える。
【００１１】
特定の実施形態において、ビデオフレーム（n-x）は、ビデオフレーム（n）より、xフレーム前のビデオフレームである。いくつかの実施形態において、xは限定することではないが、例えば１である。
【００１２】
特定の実施形態において、差分は、限定することではないが、例えば、輝度、色もしくはこれらの組合せの差分である。いくつかの実施形態において、最大差分は、ビデオフレーム（n）のフレームサブユニットとビデオフレーム（n-x）のフレームサブユニットとの間の最大差分であり、該最大差分は、それぞれのフレーム内で対応する位置に存する。いくつかの実施形態において、差分は輝度であり、ビデオフレーム(n)のフレームサブユニットがビデオフレーム（n-x）のサブユニットと、最大輝度差分よりも大きい量、異なるかどうかを決定するよう構成されるモジュールが構成されることで、ビデオフレーム（n）のフレームサブユニットの輝度が、ビデオフレーム（n-x）のフレームサブユニットにおける輝度よりも、最大輝度差分より多い量、多いかどうかを決定する。
【００１３】
特定の実施形態において、比較されるビデオフレーム（n）のフレームサブユニット及びビデオフレーム（n-x）のフレームサブユニットは、これらのそれぞれのフレーム内における対応する位置に存する。いくつかの実施形態において、フレームサブユニットは、MPEGマクロブロックである。
【００１４】
いくつかの実施形態において、ビデオフレーム（n）の１より多いフレームサブユニットは、ビデオフレーム（n-x）の１より多いフレームサブユニットと比較し、ビデオフレーム（n）のフレームサブユニットのそれぞれは、ビデオフレーム（n）内の離れた位置に存し、該ビデオフレーム（n）のフレームサブユニットのそれぞれは、ビデオフレーム（n-x）内の対応する離れた位置に存するビデオフレーム（n-x）のフレームサブユニットと比較される。いくつかの実施形態において、フレームサブユニットのそれぞれは、対応するビデオフレームの１％未満を備える。
【００１５】
特定の実施形態において、ビデオフレーム（n）及び（n-x）のフレームサブユニットは、ビデオストリームのビデオフレームからデコードされる。
【００１６】
いくつかの実施形態において、本明細書において提供されるシステムは、さらに、モジュールを備え、該モジュールはビデオストリームのビデオフレーム（n）と（n-x）をバッファリングするとともに、ビデオフレーム（n）と（n-x）を複数のフレームサブユニットにデコードするよう構成される。さらなるもしくは代替的な実施形態において、本明細書に記載されるシステムは、さらに、モジュールを備え、該モジュールは、ビデオフレーム（n）の少なくとも１つの制限されたフレームサブユニットを有するビデオフレーム（n）のフレームサブユニットを組み立てて、補正されたビデオフレーム（n）として、組み立てられたフレームサブユニットの組み立てられたマトリックスを形成するよう構成される。
【００１７】
いくつかの実施形態において、最大差分は自動的に設定される、ユーザにより設定される、前もって定義される、工場で設定されるもしくはこれらの組合せである。
【００１８】
特定の実施形態において、フレーム（n）の制限されたフレームサブユニットは、比較されるフレーム（n-x）のフレームサブユニットとは、最大差分よりも大きい量異ならない。
【００１９】
いくつかの実施形態において、本明細書で、視覚メディアにおける差分を減少させるシステムが提供される。該システムは、上述したように、フレーム内差分を減少させるシステム及びフレーム間差分を減少させるシステムにおいて、上記モジュールを備える。
【００２０】
特定の実施形態において、本明細書で、視覚メディアの差分を減少させる工程が提供される。該プロセスは、a.ビデオフレーム内のフレームサブユニット間の最大差分を設定する工程と、b.ビデオフレーム（n）内の複数のフレームサブユニットを互いに比較する工程と、c. ビデオフレーム(n)の１もしくはそれより多いフレームサブユニットが１もしくはそれより多い他のビデオフレーム（n）のサブユニットと、最大差分よりも大きい量、異なるかどうかを決定する工程と、d. フレーム（n）の制限されたフレームサブユニットを形成するために、１もしくはそれより多い他のビデオフレーム（n）のサブユニットとは最大差分よりも大きい量異なる１もしくはそれより多いフレーム（n）を制限する工程を備える。
【００２１】
いくつかの実施形態において、差分は、限定することではないが、輝度、色もしくはこれらの組合せである。特定の実施形態において、各フレームサブユニットは、限定することではないが、約２５６ピクセルを備える。いくつかの実施形態において、各フレームサブユニットは、限定することではないが、１％に満たないビデオフレームを備える。いくつかの実施形態において、複数のフレームサブユニットはMPEGマクロブロックを備えるもしくはMPEGマクロブロックである、あるいはMPEGマクロブロックの一部である。
【００２２】
特定の実施形態において、複数のサブユニットは、ビデオストリームのビデオフレームからデコードされる。いくつかの実施形態において、複数のフレームサブユニットと比較する前に、プロセスはさらに、ビデオストリームのビデオフレーム（n）をバッファリングする工程と、ビデオフレーム（n）を複数のフレームサブユニットにデコードする工程をそなえる。さらなるもしくは代替的な実施形態において、プロセスはさらに、補正されたビデオフレーム（n）として、組み立てられたフレームサブユニットの組み立てられたマトリックスにするために、ビデオフレーム（n）の少なくとも１つの制限されたフレームサブユニットを有するビデオフレーム（n）のフレームサブユニットを組み立てる工程を備える。
【００２３】
いくつかの実施形態において、最大差分は自動的に設定される、ユーザにより設定される、前もって定義される、工場で設定されるもしくはこれらの組合せである。ある特定の実施形態において、フレーム(n)の制限されたフレームサブユニットは、１もしくはそれより多い限定されないフレームサブユニットとは、最大差分より大きい量、異ならない。
【００２４】
特定の実施形態において、視覚メディアにおける差分を減少させる工程が提供される。プロセスは、a.ビデオフレーム（n）のフレームサブユニットと先行するビデオフレーム（n-x）のフレームサブユニットとの間の最大差分を設定する工程と、b.ビデオフレーム（n）のフレームサブユニットと、ビデオフレーム（n-x）のフレームサブユニットを比較する工程と、c.ビデオフレーム(n)のフレームサブユニットがビデオフレーム（n-x）のサブユニットと、最大差分よりも大きい量、異なるかどうかを決定する工程と、d. フレーム（n）の制限されたフレームサブユニットを形成するために、ビデオフレーム（n-x）のサブユニットとは最大差分よりも大きい量異なるフレーム（n）のフレームサブユニットを制限する工程を備える。
【００２５】
いくつかの実施形態において、ビデオフレーム(n-x)は、xフレーム先行するビデオフレーム（n）である。いくつかの実施形態において、xは限定することではないが、例えば１である。
【００２６】
いくつかの実施形態において、差分は、制限することではないが、輝度、色もしくはこれらの組合せにおける差分である。いくつかの実施形態において、最大差分は、ビデオフレーム（n）のフレームサブユニットとビデオフレーム（n-x）のフレームサブユニットとの間の最大差分であり、該最大差分は、それぞれのフレーム内で対応する位置に存する。
【００２７】
いくつかの実施形態において、比較されるビデオフレーム（n）のフレームサブユニット及びビデオフレーム（n-x）のフレームサブユニットは、これらのそれぞれのフレーム内における対応する位置に存する。特定の実施形態において、ビデオフレーム（n）のフレームサブユニットが、輝度において、ビデオフレーム（n-x）のフレームサブユニットよりも、最大輝度差分より多い量、多いかどうかを決定する工程は、ビデオフレーム（n）のフレームサブユニットの輝度が、ビデオフレーム（n-x）のフレームサブユニットの輝度よりも、最大輝度差分より多い量、多いかどうかを決定する工程を備える。
【００２８】
いくつかの実施形態において、ビデオフレーム(n)の１より多いフレームサブユニットは、ビデオフレーム（n-x）の１より多いフレームサブユニットと比較される。ある特定の実施形態において、ビデオフレーム(n)の１より多いフレームサブユニットは、ビデオフレーム(n-x)の１より多いフレームサブユニットと比較され、ビデオフレーム（n）のフレームサブユニットのそれぞれは、ビデオフレーム（n）内の離れた位置に存し、該ビデオフレーム（n）のフレームサブユニットのそれぞれは、ビデオフレーム（n-x）内の対応する離れた位置に存するビデオフレーム（n-x）のフレームサブユニットと比較される。
【００２９】
ある特定の実施形態において、各フレームサブユニットは、限定することではないが、約２５６ピクセルを備える。いくつかの実施形態において、フレームサブユニットのそれぞれは、限定することではないが、約１％に満たない対応するビデオフレームを備える。特定の実施形態において、フレームサブユニットは、MPEGマクロブロックを備えるもしくはMPEGマクロブロックである、あるいはMPEGマクロブロックの一部である。
【００３０】
いくつかの実施形態において、ビデオフレーム(n)及び(n-x)のフレームサブユニット
は、ビデオストリームのビデオフレームからデコードされる。特定の実施形態において、フレームサブユニットと比較する前に、プロセスはさらに、ビデオストリームのビデオフレーム（n）及び(n-x)をバッファリングする工程と、ビデオフレーム（n）及び(n-x)を複数のフレームサブユニットにデコードする工程を備える。さらなるもしくは代替的な実施形態において、プロセスはさらに、補正されたビデオフレーム（n）として、組み立てられたフレームサブユニットの組み立てられたマトリックスとするために、ビデオフレーム（n）の少なくとも１つの制限されたフレームサブユニットを有するビデオフレーム（n）のフレームサブユニットを組み立てる工程を備える。
【００３１】
いくつかの実施形態において、最大差分は、自動的に設定される、ユーザにより設定される、前もって定義される、工場で設定されるもしくはこれらの組合せである。特定の実施形態において、フレーム（n）の制限されたフレームサブユニットは、比較されるフレーム（n-x）のフレームサブユニットとは、最大差分よりも大きい量異ならない。
【００３２】
特定の実施形態において、視覚メディアにおける輝度の変化を減少させるプロセスについて本明細書で提供される。プロセスは、本明細書の上記に示される工程のそれぞれを備える。
【００３３】
いくつかの実施形態において、フレームサブユニットを備えるビデオフレームを送信する信号について本明細書で提供される。該サブユニットは、本明細書に記載される任意の工程に従って制限されている。
【００３４】
特定の実施形態において、視覚メディアにおける輝度の変化を減少させる装置について、本明細書で提供される。該装置は、a.ビデオストリームを受信し、b.ビデオのビデオフレームから１もしくはそれより多いフレームサブユニットをデコードし、そして、c.上記の任意のプロセスに従って、少なくとも１のフレームサブユニットを処理する。
【００３５】
いくつかの実施形態において、ビデオストリームは、圧縮されたフォーマットからデコードされる。特定の実施形態において、ビデオストリームは、限定することではないが、MPEGフォーマットからデコードされ、ビデオのビデオフレームからデコードされたフレームサブユニットは、MPEGマクロブロックである。いくつかの実施形態において、装置は、限定することではないが、コンピュータ、インラインコンバージョンボックス(in-line conversion box)もしくはデジタルビデオレコーダである。
【００３６】
いくつかの実施形態において、インラインコンバージョンボックスは、限定するわけではないが、インラインハイデフィニション マルチメディア インタフェース(HDMI)コンバージョンボックス、インラインコンポーネントコンバージョンボックス及びこれらの組合せから選択される。
【００３７】
特定の実施形態において、ビデオが保存される装置について本明細書で提供されるが、該ビデオは、本明細書に記載される任意のプロセスに基づいて制限されているビデオフレームを備える。いくつかの実施形態において、ビデオは、圧縮されたフォーマットで保存される。特定の実施形態において、圧縮されたフォーマットは、限定するわけではないが、MPEGフォーマットである。
【００３８】
いくつかの実施形態において、少なくとも１の制限されたフレームサブユニットを有する制限されたビデオフレームについて本明細書で提供されるが、制限されたフレームサブユニットは、１もしくはそれより多い限定されないフレームサブユニットとは、最大差分より大きい量、異ならない。特定の実施形態において、最大差分は、限定されるわけではないが、輝度、色もしくはこれらの組合せにおける差分から選択される。いくつかの実施形態において、読み取り可能なメディア上に保存された制限されたビデオフレームについて、本明細書に提供される。
【００３９】
いくつかの実施形態において、フレームサブユニットのそれぞれは、制限するわけではないが、約２５６ピクセルを備える。特定の実施形態において、フレームサブユニットのそれぞれは、限定することではないが、ビデオフレームの１％未満を備える。
【００４０】
特定の実施形態において、最大差分は、自動的に設定される、ユーザにより設定される、前もって定義される、工場で設定されるもしくはこれらの組合せである。
【００４１】
いくつかの実施形態において、本明細書に記載される少なくとも１の制限されたビデオフレームを含む複数のビデオフレームについて、提供される。特定の実施形態において、複数のビデオフレームが読み取り可能なメディアに保存される。
【００４２】
特定の実施形態において、複数のビデオフレームを有する視覚メディアの視聴者の神経性発作の発生を減少もしくは防止させる方法について提示される。少なくとも１のビデオフレームは、制限されたビデオフレームであり、制限されたビデオフレームは少なくとも１の制限されたフレームサブユニットを有し、制限されたフレームサブユニットは、１もしくはそれより多い制限されないフレームサブユニットとは、最大差分より大きい量、異ならない。
【００４３】
特定の実施形態において、複数のビデオフレームを有する視覚メディア視聴者の偏頭痛、てんかんの発症、頭痛、易刺激性(irritability)、眼精疲労、吐き気もしくはこれらの組合せの発生を減少もしくは防止させる方法について提供される。少なくとも１のビデオフレームは、制限されたビデオフレームであり、制限されたビデオフレームは少なくとも１の制限されたフレームサブユニットを有し、制限されたフレームサブユニットは、１もしくはそれより多い限定されないフレームサブユニットとは、最大差分より大きい量、異ならない。
【００４４】
いくつかの実施形態において、最大差分は、輝度、色もしくはこれらの組合せの差分から選択される。いくつかの実施形態において、フレームサブユニットのそれぞれは、限定するわけではないが、約２５６ピクセルを備える。特定の実施形態において、フレームサブユニットのそれぞれは、限定するわけではないが、ビデオフレームの１％未満を備える。いくつかの実施形態において、最大差分は、自動的に設定される、ユーザにより設定される、前もって定義される、工場で設定されるもしくはこれらの組合せである。
【００４５】
特定の実施形態において、本明細書にて提供される任意のシステムは、さらに、a.オーディオフレーム(m)の音量及び／もしくはピッチ（pitch）と、先行するオーディオフレーム(m-z)の音量及び／又はピッチとの間の最大差分を設定するインプットを設定するよう構成されたモジュールもしくは、該インプットを受信するよう構成されたインプットと、b.オーディオフレーム(m)の音量及び／又はピッチを、オーディオフレーム(m-z)の音量及び／又はピッチと比較するよう構成されたモジュールと、c.オーディオフレーム(m)のフレームサブユニットは、オーディオフレーム(m-z)のフレームサブユニットとは、最大差分より大きい量、異なるかどうかを決定するよう構成されるモジュールと、d.制限されたフレームサブユニットを形成するために、オーディオフレーム（m-z）の音量及び／ピッチとは最大差分よりも大きい量異なるフレーム(m)の音量及び／又はピッチを制限するよう構成されたモジュールを備える。
【００４６】
特定の実施形態において、オーディオフレーム(m-z)は、ビデオフレーム(m)よりもzフレーム前のオーディオフレームである。
【００４７】
本明細書で提供される任意のシステムの様々な実施形態において、xは1から100までである。本明細書で提供される任意のシステムの特定の実施形態において、zは1から100までである。
【００４８】
本明細書の特定の実施形態において提供されるのは、ビデオフレーム及びオーディオフレームを送信するための信号であり、該信号は、上記のあらゆるシステムにより制限されてきたオーディオフレームを備える。
【図面の簡単な説明】
【００４９】
【図１】図１は、視覚メディアにおける差分を減少させるプロセスもしくはシステムを示す。
【図２】図２は、視覚メディアにおける差分を減少させるプロセスもしくはシステムを示す。
【発明を実施するための形態】
【００５０】
本発明の新しい特徴は、特に添付の特許請求の範囲とともに説明される。図示される実施形態で説明される以下の詳細な説明を参照することで、本発明の特徴及び利点をよりよく理解可能である。該実施形態において、本発明の本質が用いられ、添付の図面は、以下の通りである。
【００５１】
本発明の好適な実施例は本明細書に提示され記載されているが、当業者は、このような実施形態が例としてのみ提供されていることは明らかである。様々な変更形態、変化及び置換は、当業者にとっては想到できるものであり、本発明から逸脱するものではない。本明細書記載の本発明の実施形態のさまざまな代替は、本発明を実施するのに用いられる。以下の特許請求の範囲は、本発明の範囲を定義していて、これらの特許請求の範囲内の方法及び構成及びこれらの等価物は、本発明により網羅される。
【００５２】
視覚及びオーディオメディアは、世界中における娯楽のソースである。視覚メディアは、テレビ、コンピュータモニタ、ポケットコンピュータ装置（例えば、i-Pod）、映画スクリーンなどのさまざまな方法で観られるもしくは見られる（本明細書で交互に用いられる）。テレビで見られる視覚メディアは、限定することではないが、テレビ中継（例えば、光ファイバ、従来のケーブル、衛星もしくはアンテナ信号により受信される）、録画されているテレビ（例えば、ビデオカセット、録画可能なDVDもしくはTiVoなどデジタルビデオレコーダ（DVR）を用いて）、映画（例えば、ペイパービュー（pay-per-view）、ビデオカセット、DVD、ブルーレイディスク、HD DVDもしくはレーザーディスクから）を含む様々なソースを有する。コンピュータで観られる視覚メディアは、テレビで観られるあらゆるソースを含む。さらに、コンピュータ上で観られる視覚メディアは、限定することではないが、コンピュータに保存されている圧縮データファイル、オンラインソースからのストリーミングビデオを含む。さまざまな例において、オーディオメディアは、単独で聞かれるもしくは視覚メディアと連動して聞かれる。オーディオメディアは、CDプレーヤと関連付けられるスピーカ、テレビ、コンピュータ、ポケットコンピュータ装置（例えば、i-Pod）、映画スクリーンなどのさまざまな方法で聞かれる。テレビで聞かれるオーディオは、限定することではないが、テレビ中継（例えば、光ファイバ、従来のケーブル、衛星もしくはアンテナ信号で受信される）、録画されたテレビ（例えば、ビデオカセット、録画可能なDVDもしくはTiVoなどのデジタルビデオレコーダ(DVR)を用いて）、映画（ペイパービュー、ビデオカセット、DVD、ブルーレイディスク、HDDVDもしくはレーザーディスクから）を含むさまざまなソースを有する。さらに、コンピュータ（i-Podなどのポケットコンピュータ装置を含む）で聞かれるオーディオメディアは、限定することではないが、コンピュータに保存されている未圧縮及び圧縮されたデータファイル、もしくはオンラインソースからのストリーミングオーディオを備える。
【００５３】
特定の例において、あらゆる方法で観られるメディア（例えば、視覚メディア）は、本明細書で記載されるメディアを含むが、急激な差分（rapid differentials）(例えば、色及び／又は輝度)を有する。いくつかの例において、急激な差分が利用されることで、視覚メディアの視聴者及び／又はオーディオメディアのリスナーの注目を集める。他の例において、急激な差分は意図されるものではなく、メディア（visual media）の生成の副作用(artifact)である。特定の例において、視覚メディアの急激な差分は、神経性反応、眼精疲労及び／又は吐き気を視聴者に引き起こす。いくつかの例において、神経性反応は、限定することではないが、偏頭痛、てんかんの発症、易刺激性及び／又は乗り物酔いを含む。従って、本明細書記載のプロセスは、視覚メディアにおけるこれらの急激な差分を減少させることを目的とする。しかしながら、本明細書記載のプロセスは、これらの使用に限定されるのではない。いくつかの例において、オーディオメディアの急激な差分は、易刺激性、耳痛、頭痛などの神経性反応を引き起こす。
【００５４】
従って、特定の実施形態において、本明細書記載のプロセスは、メディア（例えば、視覚メディア及び／又はオーディオメディア）におけるこれらの急激な差分を減少させることを目的とする。いくつかの実施形態において、視覚メディアにおける急激な差分は、限定することではないが、対象の輝度の急激な増加、対象の輝度の急激な減少、フレーム全体の輝度の急激な増加、フレーム全体の輝度の急激な減少、フレームの部分の輝度の急激な増加、フレームの部分の輝度の急激な減少もしくはこれらの組合せを含む。同様に特定の実施形態において、視覚メディアにおける急激な差分は、対象の色の急激な変化、フレーム全体の色の急激な変化、フレームの部分の色の急激な変化もしくはこれらの組合せを含む。特定の実施形態において、これらの変化は、約１から約１００までのフレームの間、約１から約４０までのフレームの間、約１から約２０までのフレームの間、もしくは約２から約７までのフレームの間で生じる。いくつかの実施形態において、輝度の変化は、色の変化と組み合わされる。
【００５５】
いくつかの特定の実施形態において、視覚メディアの急激な差分は、光の点滅(flashing lights)、ホワイトアウトフレーム(white-out frames)、フレア的対象(flare-like object)、白い点滅(white flash)、レンズフレア、バーンディゾルブ(burn dissolve)、輝点(bright spot)、急激に移動する輝点(rapidly moving bright spots)、短時間の内に、輝くもしくは明るく焼きつく対象、もしくはこれらの組合せを含む。
【００５６】
様々な実施形態において、急激な差分はフレーム内（即ち、フレーム内差分）及び／又はフレーム間（フレーム間差分）に存する。従って、特定の実施形態において、本明細書において提供されるプロセスは、ビデオフレーム内もしくはフレーム間のフレームサブユニットを比較することで、視覚メディアにおける急激な差分を減少させる。
【００５７】
特定の実施形態において、本明細書で提供されるプロセスは、視覚メディアにおける差分を減少させることを目的とする。該プロセスは、a.ビデオフレーム内のフレームサブユニット間の最大差分を設定する工程と、b.ビデオフレーム（n）内の複数のフレームサブユニットを互いに比較する工程と、c. ビデオフレーム(n)の１もしくはそれより多いフレームサブユニットが１もしくはそれより多い他のビデオフレーム（n）のサブユニットと、最大差分よりも大きい量、異なるかどうかを決定する工程と、d. フレーム（n）の制限されたフレームサブユニットを形成するために、１もしくはそれより多い他のビデオフレーム（n）のサブユニットとは最大差分よりも大きい量異なる１もしくはそれより多いフレーム（n）を制限する工程を備える。
【００５８】
特定の実施形態において、フレームサブユニット間の差分は、視聴者の神経性反応、神経性発作、眼精疲労、吐き気、偏頭痛、てんかんの発症、易刺激性及び／又は乗り物酔いを引き起こす反応に基づいていて、該差分は、限定することはないが、色及び／又は輝度を含む。いくつかの実施形態において、最大差分は、限定することはないが、視聴者の神経性反応、眼精疲労、吐き気、偏頭痛、てんかんの発症、易刺激性及び／又は乗り物酔いを引き起こす量を含む。
【００５９】
特定の実施形態において、最大差分は、限定することはないが、５％、１０％、１５％、２０％、２５％、３０％、４０％、５０％、６０％、７０％、８０％、もしくは９０％のルーメンもしくはカンデラよりも多い変化である。より特定の実施形態において、最大差分は、限定することではないが、５％、１０％、１５％、２０％、２５％、３０％、４０％、５０％、６０％、７０％、８０％、９０％、１００％、１５０％もしくは２００％のルーメンもしくはカンデラよりも多い増加である。
【００６０】
いくつかの特定の実施形態において、最大差分は、限定することではないが、光（色）の波長（λ）の変化が、約30nm、40nm、50nm、70nm、90nm、100nm、150nmもしくは200nmより大きい。特定の実施形態において、比較される波長は最大波長である。
【００６１】
いくつかの実施形態において、フレームのフレームサブユニットは、フレームサブユニットがフレームのグリッドを形成するように選択される、１もしくはそれより多いフレーム構成要素の形状、色及び／又は輝度に基づいて選択される、もしくは、いくつかのこれらの組合せに基づいて選択される。特定の実施形態において、フレームサブユニットは、限定することではないが、0.01%、0.05%、0.1%、0.5%、1%、1.5%、2%、3%、5%、10%、15%、または20%未満もしくは約0.01%、0.05%、0.1%、0.5%、1%、1.5%、2%、3%、5%、10%、15%、または20%を備える。いくつかの実施形態において、フレームサブユニットは、2、4、8、16、32、64、128、256、512または1024ピクセル未満もしくは、約、2、4、8、16、32、64、128、256、512または1024ピクセルを備える。特定の実施形態において、ビデオフレームの１もしくはそれより多いサブユニットは、形状及び／もしくは大きさにおいて、フレームの少なくとも１もしくはそれより多くの他のフレームのフレームサブユニットとは異なる。
【００６２】
特定の実施形態において、複数のフレームサブユニットは、ビデオストリームのビデオフレームからデコードされる。いくつかの実施形態において、ビデオストリームは、いずれかのソースから受信され、該ソースは、限定することではないが、光ファイバソース、ケーブルソース、インターネットもしくは衛星ソース（例えばDirecTVもしくはDISH）を含む。特定の実施形態において、ビデオストリームは、ハードドライブもしくはディスク（DVD）上の圧縮されたデータファイルから受信され、該圧縮されたデータファイルは、限定することではないが、MPEG(例えば、MPEG-1、MPEG-2、MPEG-3、MPEG-4、MPEG-7、MPEG-21)、AVI、WMV、MOVなどを含む。いくつかの実施形態において、本明細書記載のプロセスに用いられるフレームサブユニットは、圧縮されたデジタルファイルのマクロブロック（例えば、MPEGマクロブロック）もしくはその一部である。
【００６３】
いくつかの実施形態において、複数のフレームサブユニットを比較する前に、本明細書に記載されるプロセスは、さらに、ビデオストリームのビデオフレーム(n)をバッファリングする工程と、ビデオフレーム(n)を複数のフレームサブユニットにデコードする工程を備える。
【００６４】
さらなるもしくは代替的な実施形態において、本明細書に記載されるプロセスは、さらに、補正されたビデオフレーム（n）として、組み立てられたフレームサブユニットの組み立てられたマトリックスにするために、ビデオフレーム（n）の少なくとも１つの制限されたフレームサブユニットを有するビデオフレーム（n）のフレームサブユニットを組み立てる工程を備える。いくつかの実施形態において、信号は補正されたビデオフレーム(n)を備え、その後、レシーバへと送信され、そしてその後レシーバは補正されたビデオフレームを表示する。特定の実施形態において、レシーバは、限定することではないが、テレビ、コンピュータモニタ、デジタルビジュアルインターフェース（DVI）もしくはムービープロジェクタである。
【００６５】
特定の実施形態において、最大差分は自動的に設定される、ユーザにより設定される、前もって定義される、工場で設定されるもしくはこれらの組合せである。
【００６６】
特定の実施形態において、フレーム(n)の制限されたフレームサブユニットは、最大差分よりも大きい量、１もしくはそれより多いフレーム（ｎ）の非制限フレームサブユニットとは異ならない。特定の実施形態において、フレーム(n)の制限されたフレームサブユニットは、最大差分よりも大きい量、フレーム(n)の１もしくはそれより多い非制限フレームサブユニットとは異ならない。フレーム(n)の制限されたフレームサブユニットが、90%、80%、70%、60%、50%、40%、30%もしくは20%より多く制限される前のフレームサブユニットとは異ならない場合、最大差分は90%、80%、70%、60%、50%、40%、30%もしくは20%のそれぞれである。
【００６７】
いくつかの実施形態において、ビデオフレーム(n)内の複数のフレームサブユニットを、互いに比較する工程は、各フレームサブユニットを１もしくはそれより多い隣接したフレームサブユニットと比較する工程を備える。特定の実施形態において、ビデオフレーム(n)内の複数のフレームサブユニットを互いに比較する工程は、各フレームサブユニットを各隣接するフレームサブユニットと比較する工程を備える。
【００６８】
特定の実施形態において、本明細書に記載されるのは、視覚メディアにおける差分を減少させるプロセスであり、該プロセスは、a.ビデオフレーム（n）のフレームサブユニットと先行するビデオフレーム（n-x）のフレームサブユニットとの間の最大差分を設定する工程と、b.ビデオフレーム(n)のフレームサブユニットと、ビデオフレーム（n-x）のフレームサブユニットを比較する工程と、c.ビデオフレーム(n)のフレームサブユニットが、最大差分よりも大きい量、ビデオフレーム(n-x)のフレームサブユニットと異なるかどうかを決定する工程と、d.フレーム(n)の制限されたフレームサブユニットを形成するために、ビデオフレーム(n-x)のフレームサブユニットとは、最大差分よりも大きい量、異なるフレーム(n)のフレームサブユニットを制限する工程を備える。
【００６９】
特定の実施形態において、ビデオフレーム（n-x）は、ビデオフレーム（n）よりxフレーム前のビデオフレームである。いくつかの実施形態において、xは任意の整数である。いくつかの実施形態において、差分はフレームサブユニットの明るいフレームの高速点滅である。いくつかの実施形態において、スクリーンは、約２から約４０フレームにわたって明るさが増減する。いくつかの実施形態において、白い点滅が約２から約７フレームにわたって生じる。特定の実施形態において、単一の白点が約１２から約２０フレームを超えてスクリーンに広がる（レンズフレア）ようになる。特定の実施形態において、スクリーンの複数の領域が白くなり、約１２から約２０フレームを超えてスクリーンに広がる（バーンディゾルブ）ようになる。いくつかの実施形態において、フレアと共通点を有する輝点は、約１から約４０フレーム続く。いくつかの実施形態において、対象が強い輝度で輝くもしくは焼きつき、約１から約４０フレームにわたって、スクリーン全体を素早く移動する。従って、さまざまな実施形態において、本明細書に提供されるように、xは約１から約１００、約１から約４０、約１から約２０、約１０から約２０、約１２から約２０、約１から約６又は約１である。特定の実施形態において、差分は、急激な差分である。
【００７０】
本明細書に記載されるようにフレーム内のプロセスと同様に、本明細書に記載されるプロセスにおいて用いられる差分は、限定することではないが、輝度、色又はこれらの組合せを含む。
【００７１】
いくつかの実施形態において、最大差分は、限定することではないが、視聴者の神経性反応、眼精疲労、吐き気、偏頭痛、てんかんの発症、易刺激性及び／又は乗り物酔いを引き起こす量を含む。他の実施形態において、最大差分は、スクリーンを観るのを難しくさせる量を含む（例えば、輝度の突然の減少による）。
【００７２】
具体的な実施形態において、最大差分は、限定することではないが、５％、１０％、１５％、２０％、２５％、３０％、４０％、５０％、６０％、７０％、８０％もしくは９０％よりも大きいルーメンもしくはカンデラの変化である。より具体的な実施形態において、最大差分は限定することではないが、５％、１０％、１５％、２０％、２５％、３０％、４０％、５０％、６０％、７０％、８０％、９０％、１００％、１５０％もしくは２００％よりも大きいルーメンもしくはカンデラの増加である。
【００７３】
いくつかの具体的な実施形態において、最大差分は、限定することではないが、約３０nm、４０nm、５０nm、７０nm、９０nm、１００nm、１５０nm、または２００nmよりも大きい光（色）の波長（λ）の変化である。特定の実施形態において、比較される波長は最大波長である。
【００７４】
いくつかの実施形態において、比較されるビデオフレーム(n)のフレームサブユニット及びビデオフレーム(n-x)のフレームサブユニットは、それぞれのフレーム内の対応する位置に存する。いくつかの実施形態において、最大差分は、ビデオフレーム(n)のフレームサブユニット及びビデオフレーム(n-x)のフレームサブニットとの間の最大差分であり、該最大差分は、それぞれのフレーム内の対応する位置に存する。いくつかの実施形態において、最大差分はビデオフレーム(n)の任意のフレームサブユニット及びビデオフレーム（n-x）の任意のフレームサブユニットとの間の最大差分である。
【００７５】
いくつかの実施形態において、ビデオフレーム(n)のフレームサブユニットが最大輝度の差分よりも大きい量、ビデオフレーム(n-x)のフレームサブユニットとは輝度が異なるかどうかを決定する工程は、ビデオフレーム(n)のフレームサブユニットの輝度が最大輝度の差分よりも大きい量ビデオフレーム(n-x)のフレームサブユニットにおける輝度よりも大きいかどうかを決定する工程からなる。
【００７６】
いくつかの実施形態において、ビデオフレーム(n)の１より多いフレームサブユニットは、ビデオフレーム(n-x)の１より多いフレームサブユニットと比較される。特定の実施形態において、ビデオフレーム(n)の１より多いフレームサブユニットは、ビデオフレーム(n-x)の１より多いフレームサブユニットと比較され、ビデオフレーム(n)の各フレームサブユニットは、ビデオフレーム(n)内の離れた位置に存し、ビデオフレーム(n-x)内の対応する離れた位置にあるビデオフレーム(n-x)のフレームサブユニットと比較される。
【００７７】
いくつかの実施形態において、フレームのフレームサブユニットはフレームサブユニットがフレームのグリッドを形成するように選択され、フレームのフレームサブユニットはフレームの１もしくはそれより多い構成要素の形状、色及び／又は輝度に基づいて選択され、又はフレームのフレームサブユニットはこれらのいくつかの組合せに基づいて選択される。特定の実施形態において、フレームサブユニットは、限定することではないが、約０．０１％、０．０５％、０．１％、０．５％、１％、１．５％、２％、３％、５％、１０％、１５％又は２０％である、または約０．０１％、０．０５％、０．１％、０．５％、１％、１．５％、２％、３％、５％、１０％、１５％又は２０％より少ない。いくつかの実施形態において、フレームサブユニットは、約２、４、８、１６、３２、６４、１２８、２５６、５１２又は１０２４ピクセル、又は約２、４、８、１６、３２、６４、１２８、２５６、５１２又は１０２４ピクセルより少ないピクセルを備える。特定の実施形態において、ビデオフレームの１又はそれより多いフレームサブユニットは、形状及び／又は大きさにおいて、フレームの少なくとも１もしくはそれより多いフレームのサブユニットとは異なる。
【００７８】
特定の実施形態において、複数のフレームサブユニットは、ビデオストリームのビデオフレームからデコードされる。いくつかの実施形態において、ビデオストリームは、いずれかのソースから受信され、該ソースは、限定することではないが、光ファイバソース、ケーブルソース、インターネットもしくは衛星ソース（例えばDirecTVもしくはDISH）を含む。特定の実施形態において、ビデオストリームは、ハードドライブもしくはディスク（DVD）上の圧縮されたデータファイルから受信され、該圧縮されたデータファイルは、限定することではないが、MPEG(例えば、MPEG-1、MPEG-2、MPEG-3、MPEG-4、MPEG-7、MPEG-21)、AVI、WMV、MOVなどを含む。いくつかの実施形態において、本明細書記載のプロセスに用いられるフレームサブユニットは、圧縮されたデジタルファイルのマクロブロック（例えば、MPEGマクロブロック）もしくはその一部である。
【００７９】
特定の実施形態において、本明細書に記載されるプロセスにおいて、フレームサブユニットと比較する前に、工程はさらに、ビデオストリームのビデオフレーム（n）及び(n-x)をバッファリングする工程と、ビデオフレーム（n）及び(n-x)を複数のフレームサブユニットにデコードする工程を備える。さらなるもしくは代替的な実施形態において、プロセスはさらに、補正されたビデオフレーム（n）として、組み立てられたフレームサブユニットの組み立てられたマトリックスとするために、ビデオフレーム（n）の少なくとも１つの制限されたフレームサブユニットを有するビデオフレーム（n）のフレームサブユニットを組み立てる工程を備える。
【００８０】
特定の実施形態において、最大差分は自動的に設定される、ユーザにより設定される、前もって定義される、工場で設定されるもしくはこれらの組合せである。
【００８１】
特定の実施形態において、フレーム（n）の制限されたフレームサブユニットは、比較されるフレーム（n-x）のフレームサブユニットとは、最大差分よりも大きい量異ならない。特定の実施形態において、フレーム(n)の制限されたフレームサブユニットは、比較されるフレーム(n-x)のフレームサブユニットとは、最大差分よりも大きい量異ならない。フレーム(n)の制限されたフレームサブユニットが、90%、80%、70%、60%、50%、40%、30%もしくは20%より大きく制限される前のフレームサブユニットとは異ならない場合、最大差分は90%、80%、70%、60%、50%、40%、30%もしくは20%のそれぞれである。
【００８２】
さらなるまたは代替的な実施形態において、本明細書に記載されるプロセスは、さらに、補正されたビデオフレーム（n）として、組み立てられたフレームサブユニットの組み立てられたマトリックスとするために、ビデオフレーム（n）の少なくとも１つの制限されたフレームサブユニットを有するビデオフレーム（n）のフレームサブユニットを組み立てる工程を備える。いくつかの実施形態において、信号は補正されたビデオフレーム(n)を備え、その後、レシーバへと送信され、そしてその後レシーバは補正されたビデオフレームを表示する。特定の実施形態において、レシーバは、限定することではないが、テレビ、コンピュータモニタ、デジタルビジュアルインターフェース（DVI）もしくはムービープロジェクタである。
【００８３】
いくつかの実施形態において、本明細書に記載されるのは、フレーム内及びフレーム間差分を減少させるプロセスである。いくつかの実施形態において、フレーム内及びフレーム間差分を減少させるプロセスは上述の通りである。特定の実施形態において、フレーム内差分を減少させるプロセスは、a.ビデオフレーム内のフレームサブユニット間の最大差分を設定する工程と、b.ビデオフレーム（n）内の複数のフレームサブユニットを互いに比較する工程と、c. ビデオフレーム(n)の１もしくはそれより多いフレームサブユニットが１もしくはそれより多い他のビデオフレーム（n）のサブユニットと、最大差分よりも大きい量、異なるかどうかを決定する工程と、d. フレーム（n）の制限されたフレームサブユニットを形成するために、１もしくはそれより多い他のビデオフレーム（n）のサブユニットとは最大差分よりも大きい量異なる１もしくはそれより多いフレーム（n）を制限する工程と、e.ビデオフレーム(n)のフレームサブユニットと先行するビデオフレーム（n-x）のフレームサブユニットとの間の最大差分を設定する工程と、f.ビデオフレーム（n）のフレームサブユニットと、ビデオフレーム（n-x）のフレームサブユニットを比較する工程と、g.ビデオフレーム(n)のフレームサブユニットがビデオフレーム（n-x）のフレームサブユニットと、最大差分よりも大きい量、異なるかどうかを決定する工程と、h. フレーム（n）の制限されたフレームサブユニットを形成するために、ビデオフレーム（n-x）のサブユニットとは最大差分よりも大きい量異なるフレーム（n）のフレームサブユニットを制限する工程を備える。
【００８４】
特定の実施形態において、ビデオフレーム(n)のフレームサブユニットをビデオフレーム(n-x)のフレームサブユニットと比較することは、フレーム内のプロセス（例えば、b-dの工程）に基づいて、ビデオフレーム(n-x)のフレームサブユニットに制限されてきたビデオフレーム(n)のフレームサブユニットと比較する工程を備える。いくつかの実施形態において、ビデオフレーム(n)のフレームサブユニットをビデオフレーム(n-x)のフレームサブユニットと比較することは、フレーム内のプロセスに基づいて、ビデオフレーム(n-x)のフレームサブユニットに制限されていなかったビデオフレーム(n)のフレームサブユニットと比較する工程を備え、フレーム内のプロセス（例えば、フレームn-xに対するb-dの工程と同等）及び／又はフレーム間のプロセスに基づいて制限される該ビデオフレーム(n)のフレームサブユニットは、先行するフレーム(n-x-y)と比較し、この場合、フレーム(n-x-y)は、ビデオフレーム(n-x)よりyフレーム（例えば、フレームn-xに対するf-hの工程と同等）前のビデオフレームである。特定の実施形態において、ビデオフレーム(n)のフレームサブユニットをビデオフレーム(n-x)のフレームサブユニットと比較することは、フレーム内の工程（例えば、b-dの工程）に基づいて、ビデオフレーム(n-x)のフレームサブユニットに制限されてきたビデオフレーム(n)のフレームサブユニットと比較する工程を備え、フレーム内プロセス（例えば、フレームn-xに対するb-dの工程と同等）及び／又はフレーム間の工程に基づいて制限される該ビデオフレーム(n)のフレームサブユニットは、先行するフレーム(n-x-y)と比較し、この場合、フレーム(n-x-y)は、ビデオフレーム(n-x)より、yフレーム（例えば、フレームn-xに対するf-hの工程と同等）前のビデオフレームである。さまざまな実施形態において、yは、上述のxで説明した値から選択される値である。
【００８５】
オーディオメディア
いくつかの実施形態において、オーディオメディアにおける急激な差分は、限定することではないが、オーディオメディアにおける音波（もしくは音量及び／又はピッチ）の振幅及び振動数の急激な増加もしくは減少を含む。特定の実施形態において、このような変化は、限定することではないが、約１から約１００フレーム、約１から約４０フレーム、約１から約２０フレーム又は約２から約７フレームにわたって生じる。様々な実施形態において、本明細書に提供されるように、オーディオメディアにおける差分を減少させるプロセスは、単独で実行される、または視覚メディアにおける差分を減少させるプロセスとともに実行される。具体的な実施形態において、オーディオメディアは、ビデオ又はビデオフレームに組み込まれる。
【００８６】
特定の実施形態において、本明細書に提供されるのは、オーディオメディアにおける差分を減少させるプロセスであり、該プロセスは、a.オーディオフレーム(m)の音量及び／もしくはピッチと、先行するオーディオフレーム(m-z)の音量及び／又はピッチとの間の最大差分を設定する工程と、b.オーディオフレーム(m)の音量及び／又はピッチを、オーディオフレーム(m-z)の音量及び／又はピッチと比較する工程と、c.オーディオフレーム(m)のフレームサブユニットが、オーディオフレーム(m-z)のフレームサブユニットとは、最大差分より大きい量、異なるかどうかを決定する工程と、d.制限されたフレームサブユニットを形成するために、オーディオフレーム（m-z）の音量及び／ピッチとは最大差分よりも大きい量異なるフレーム(m)の音量及び／又はピッチを制限する工程を備える。
【００８７】
特定の実施形態において、ビデオフレーム(m-z)は、ビデオフレーム(m)よりもzフレーム前のオーディオフレームである。いくつかの実施形態において、zは任意の整数である。いくつかの実施形態において、オーディオメディアの音量は、約２から約４０フレームにわたって増加する。いくつかの実施形態において、音量の急激なスパイクは約２から約７フレームにわたって生じる。様々な実施形態において、本明細書に提供されるように、zは約１から約１００、約１から約４０、約１から約２０、約１０から約２０、約１２から約２０、約１から約６又は約１である。
【００８８】
特定の実施形態において、最大差分は、限定することではないが、オーディオフレームの音量及び／又はピッチ（例えば、オーディオフレーム内のデータに基づいて生成される音波の振幅及び／又は振動数）における５％、１０％、１５％、２０％、２５％、３０％、４０％、５０％、６０％、７０％、８０％又は９０％より大きい変化である。より特定の実施形態において、最大差分は、限定することではないが、５％、１０％、１５％、２０％、２５％、３０％、４０％、５０％、６０％、７０％、８０％、９０％、１００％、１５０％又は２００％よりも大きい音量及び／又はピッチの増加である。
【００８９】
特定の実施形態において、オーディオフレームは、オーディオストリーム、オーディオビデオストリーム（例えば、ビデオストリームに組み込まれる）からデコードされる。いくつかの実施形態において、オーディオストリーム又はオーディオビデオストリームは、限定することではないが、光ファイバソース、ケーブルソース、インターネットもしくは衛星ソース（例えばDirecTV、DISH、SIRIUSなど）を含む。特定の実施形態において、オーディオストリームまたはオーディオビデオストリームは、ハードドライブもしくはディスク（DVD）上の圧縮されたデータファイルから受信され、該圧縮されたデータファイルは、限定することではないが、MPEG(例えば、MPEG-1、MPEG-2、MPEG-3、MPEG-4、MPEG-7、MPEG-21)、AVI、WMV、MOV、WAV、AIFF、AU、FLAC、APE、WV、TAK、TTA、ATRAC、WMA、MP3、AACなどを含む。
【００９０】
特定の実施形態において、本明細書に示すプロセスのように、フレームサブユニットを比較する前に、プロセスはさらにオーディオストリーム又はオーディオビデオストリームのオーディオフレーム(m)及び(m-z)をバッファリングする工程と、オーディオフレーム(m)及び(m-z)をデコードする工程を備え、これら工程により、オーディオフレームにより生成される音量及び／又はピッチ（音波の振幅及び／または周波数）を決定する。
【００９１】
特定の実施形態において、最大差分は、自動的に設定される、ユーザにより設定される、前もって定義される、工場で設定されるもしくはこれらの組合せである。
【００９２】
さらなる又は代替的な実施形態において、本明細書に記載されるプロセスは、少なくとも１の制限されたオーディオフレーム(m)を有するオーディオストリーム又はソースを組み立てる工程を備える。いくつかの実施形態において、制限されたオーディオフレーム(m)を備える信号は、レシーバに送信される、そしてその後レシーバは補正されたオーディオフレームをスピーカ上で再生する。特定の実施形態において、レシーバは、限定することではないが、ラジオ、CDプレーヤ、ステレオ、パーソナルコンピュータ機器、コンピュータ又はテレビである、又はラジオ、CDプレーヤ、ステレオ、パーソナルコンピュータ機器、コンピュータ又はテレビに存在する。
【００９３】
システム
特定の実施形態において、本明細書に提示されるシステムは、a.ビデオフレーム内のフレームサブユニット間の最大差分を設定するインプットを受信するよう構成されたモジュール、もしくは該インプットを設定するよう構成されたモジュールと、b.ビデオフレーム（n）内の複数のフレームサブユニットを互いに比較するよう構成されたモジュールと、c.１もしくはそれより多いビデオフレーム(n)が１もしくはそれより多い他のビデオフレーム（n）と、最大差分よりも大きい量、異なるかどうかを決定するよう構成されるモジュールと、d.フレーム（n）の制限されたフレームサブユニットを形成するために、１もしくはそれより多い他のビデオフレーム（n）のフレームサブユニットとは最大差分よりも大きい量異なる１もしくはそれより多いフレーム（n）のフレームサブユニットを制限するよう構成されたモジュールを備える。
【００９４】
いくつかの実施形態において、本明細書に提示されるのはシステムであって、該システムは、a.ビデオフレーム（n）のフレームサブユニットと先行するビデオフレーム（n-x）のフレームサブユニットとの間の最大差分を設定するインプットを受信するよう構成されたインプット、もしくは該インプットを設定するよう構成されたモジュールと、b.ビデオフレーム（n）のフレームサブユニットと、ビデオフレーム（n-x）のフレームサブユニットを比較するよう構成されたモジュールと、c.ビデオフレーム(n)のフレームサブユニットがビデオフレーム（n-x）のフレームサブユニットと、最大差分よりも大きい量、異なるかどうかを決定するよう構成されるモジュールと、d. フレーム（n）の制限されたフレームサブユニットを形成するために、ビデオフレーム（n-x）のサブユニットとは最大差分よりも大きい量異なるフレーム（n）のフレームサブユニットを制限するよう構成されたモジュールを備える。
【００９５】
特定の実施形態において、本明細書に提示されるのはシステムであって、該システムは、a.ビデオフレーム内のフレームサブユニット間の最大差分を設定するインプットを受信するよう構成されたインプット、もしくはインプットを設定するよう構成されたモジュールと、b.ビデオフレーム（n）内の複数のフレームサブユニットを互いに比較するよう構成されたモジュールと、c.１もしくはそれより多いビデオフレーム(n)のフレームサブユニットが１もしくはそれより多い他のビデオフレーム（n）のサブユニットと、最大差分よりも大きい量、異なるかどうかを決定するよう構成されるモジュールと、d.フレーム（n）の制限されたフレームサブユニットを形成するために、１もしくはそれより多い他のビデオフレーム（n）のサブユニットとは最大差分よりも大きい量異なる１もしくはそれより多いフレーム（n）のフレームサブユニットを制限するよう構成されたモジュールと、e.ビデオフレーム（n）のフレームサブユニットと先行するビデオフレーム（n-x）のフレームサブユニットとの間の最大差分を設定するインプットを受信するよう構成されたインプット又はインプットを設定するよう構成されたモジュール、もしくは該インプットを設定するよう構成されたモジュールと、f.ビデオフレーム（n）のフレームサブユニットと、ビデオフレーム（n-x）のフレームサブユニットを比較するよう構成されたモジュールと、g.ビデオフレーム(n)のフレームサブユニットがビデオフレーム（n-x）のフレームサブユニットと、最大差分よりも大きい量、異なるかどうかを決定するよう構成されるモジュールと、h. フレーム（n）の制限されたフレームサブユニットを形成するために、ビデオフレーム（n-x）のサブユニットとは最大差分よりも大きい量異なるフレーム（n）のフレームサブユニットを制限するよう構成されたモジュールを備える。
【００９６】
特定の実施形態において、本明細書に記載されるシステムは、視覚メディアにおけるフレーム内差分を減少させる。いくつかの実施形態において、本明細書に記載されるシステムは、上述のプロセスで説明される１もしくは全ての機能を形成するよう構成されるモジュールを備える。
【００９７】
いくつかの実施形態において、本明細書に記載される任意のシステムは、 a.オーディオフレーム(m)の音量及び／もしくはピッチと、先行するオーディオフレーム(m-z)の音量及び／又はピッチとの間の最大差分を設定するインプットを受信するよう構成されるインプットまたはインプットを設定するよう構成されるモジュールと、b.オーディオフレーム(m)の音量及び／又は音程を、オーディオフレーム(m-z)の音量及び／又は音程と比較するよう構成されたモジュールと、c.オーディオフレーム(m)のフレームサブユニットは、オーディオフレーム(m-z)のフレームサブユニットとは、最大差分より大きい量、異なるかどうかを決定するよう構成されたモジュールと、d.制限されたフレームサブユニットを形成するために、オーディオフレーム（m-z）の音量及び／ピッチとは最大差分よりも大きい量異なるフレーム(m)の音量及び／又はピッチを制限するよう構成されたモジュールを備える。
【００９８】
いくつかの実施形態において、本明細書に提供されるのは、ビデオフレームを備えるビデオフレームを送信する信号であり、該信号は、上述の任意のプロセスに基づいて又は本明細書記載の任意のシステムにより制限されてきたフレームサブユニットを備える。
【００９９】
図１は、視覚メディアの差分を減少させるプロセス又はシステムを示す。いくつかの実施形態において、ビデオストリームがインプットされ、ビデオフレーム(n)及び(n-1)は、フレーム内のプロセスに基づいて、又は本明細書記載のフレーム内のシステムにより、バッファリングされ、処理されている。特定の実施形態において、解凍の間、MPEGマクロブロックが本明細書に記載されるフレーム内のプロセスもしくはシステムで用いられる。いくつかの実施形態において、フレーム(n)及び(n-1)は、本明細書記載のフレーム内のプロセス又はシステムに基づいて、処理されると、フレーム(n)は、フレーム(n)又はフレーム(n)の一部をフレーム(n-1)と比較することで、フレーム間処理を受ける。いくつかの実施形態において、フレーム(n)のフレーム間処理が完了すると、制限されたフレーム（例えば、１又はそれより多いフレームサブユニットの制限が実行される場合）又は再構成されたフレーム（例えば、１又はそれより多いフレームの制限が必要でない場合）へと構成される。いくつかの実施形態において、補正されたビデオストリームがその後出力される。
【０１００】
図２は、視覚メディアの差分を減少させるプロセス又はシステムを示す。いくつかの実施形態において、ビデオストリームが入力され、ビデオフレーム(n)がバッファリングされ、フレームサブユニットにデコードされる。特定の実施形態において、ビデオフレーム(n)のフレームサブユニットがビデオフレーム(n)の１又はそれより多い他のフレームサブユニットと比較される又はビデオフレーム(n)の１又はそれより多いフレームサブユニットの平均と比較される。特定の実施形態において、ビデオフレーム(n)のサブユニットは、最大差分の値（L2）に基づいて制限される。例えば、輝度及び／又は色に基づいて制限される。いくつかの実施形態において、ビデオフレーム(n)のフレームサブユニットは、補正された又は制限されたフレーム(n)に構成され（L2に基づいて制限されてきた場合）、バッファリングされる。特定の実施形態において、補正された又は制限されたフレーム(n)は、その後、補正された又は未補正のフレーム(n-1)を有する各位置で比較される。言い換えると、いくつかの実施形態において、フレーム(n)の各フレームサブユニットは、フレーム(n-1)のそれぞれの又は対応するフレームサブユニットと比較される。特定の実施形態において、ビデオフレーム(n)のサブユニットは、フレーム（L1）の間の最大差分の値に基づいて制限される。例えば、輝度及び／又は色に基づいて制限される。いくつかの実施形態において、フレーム(n)及び／又はフレーム(n-1)の補正されたフレームは、その後出力される。
【０１０１】
特定の実施形態において、本明細書に提供されるのは、視覚メディアにおける輝度の変化を減少させる装置であり、該装置は、a.ビデオストリームを受信し、b.ビデオのビデオフレームから１又はそれより多いフレームサブユニットをデコードし、c.本明細書で説明される任意の処理に従って、少なくとも１のフレームサブユニットを処理する。
【０１０２】
特定の実施形態において、ビデオストリームは、圧縮されたフォーマットからデコードされる。いくつかの実施形態において、ビデオストリームは、限定することではないが、MPEG(例えば、MPEG-1、MPEG-2、MPEG-3、MPEG-4)、AVI、WMV又はMOVフォーマットである。特定の実施形態において、ビデオストリームは、MPEGフォーマットからデコードされ、ビデオのビデオフレームからデコードされたフレームサブユニットは、MPEGマクロブロックである。
【０１０３】
特定の実施形態において、装置は限定することではないが、コンピュータ、インラインコンバージョンボックス、ビデオカード、コンピュータモニタ、デジタルビジュアルインターフェース(DVI)、テレビ、デジタルレシーバ又はチューナ（例えば、ケーブルチューナ、光ファイバケーブルテレビ用チューナ又は衛星受信用中チューナ）又はデジタルビデオレコーダ（例えば、TiVo）から選択される。特定の実施形態において、インラインコンバージョンボックスは、インラインハイデフィニションマルチメディアインターフェース(HDMI)コンバージョンボックス、インラインコンポーネントコンバージョンボックス及びこれらの組み合わせから選択される。
【０１０４】
いくつかの実施形態において、本明細書に提供されるのは、ビデオが保存されている装置であり、ビデオは、本明細書に記載される任意のプロセスに基づいて、又は本明細書に記載される任意のシステムにより制限されてきたビデオフレームを含む。特定の実施形態において、ビデオは、圧縮されたフォーマットで保存される。いくつかの実施形態において、ビデオは、限定することではないが、MPEG(例えば、MPEG-1、MPEG-2、MPEG-3、MPEG-4)、AVI、WMV、MOVのフォーマットを含む。圧縮フォーマットで保存される特定の実施形態において、圧縮されたフォーマットは、MPEGフォーマットである。
【０１０５】
いくつかの実施形態において、装置は、限定することではないが、コンピュータ、ハードドライブ、ポータブルストレージディスク、ポケットコンピュータ装置（例えば、i-Pod（登録商標）又はiPhone）、ビデオカセット、DVD、デジタルビデオレコーダ(DVR)(例えば、TiVo(登録商標)、ブルーレイディスク、HD DVD又はレーザーディスクである。
【０１０６】
特定の実施形態において、本明細書に提供されるのは、少なくとも１の制限されたフレームサブユニットを有する制限されたビデオフレームであり、制限されたフレームサブユニットは、１もしくはそれより多い限定されないフレームサブユニットとは、最大差分より大きい量、異ならない。いくつかの実施形態において、ビデオフレームは、本明細書に記載されるプロセスに基づいて、又は本明細書記載のシステムにより処理されてきた。いくつかの実施形態において、最大差分は、輝度、色又はこれらの組み合わせの差分から選択される。特定の実施形態において、輝度及び／又は色の差分及びフレームサブユニットの大きさ及び形状は、本明細書にて上述されている。特定の実施形態において、このようなフレームサブユニットは、本明細書にて上述されている。いくつかの実施形態において、最大差分は、自動的に設定される、ユーザにより設定される、前もって定義される、工場で設定されるもしくはこれらの組合せである。
【０１０７】
特定の実施形態において、制限されたビデオフレームは、読み取り可能なメディア上に保存される。いくつかの実施形態において、読み取り可能なメディアは、ハードドライブである（例えば、コンピュータ内又はデジタルビデオレコーダ内）。コンピュータ、ポータブルストレージディスク、ポケットコンピュータ装置（例えば、i-Pod（登録商標）又はiPhone）、ビデオカセット、DVD、デジタルビデオレコーダ(DVR)(例えば、TiVo(登録商標)、ブルーレイディスク、HD DVDである。
【０１０８】
特定の実施形態において、本明細書で提示されるのは、少なくとも１の制限されたビデオフレームを備える複数のビデオフレームである。特定の実施形態において、複数のビデオフレームは読み取り可能なメディア上に保存されている。
【０１０９】
いくつかの実施形態において、本明細書に記載されるプロセス及び／又はシステムは、ウェブブラウザのアドオンとして使用される、又はコンピュータベースのビデオ表示スタンダード(video display standards)（例えば、wmv又はQuicktime）のアドオンとして用いられる。特定の実施形態において、本明細書に記載されるプロセス又はシステムは、ソフトウェアの編集又は生成に用いられるコーデックである。
【０１１０】
複数のビデオフレームを有する視覚メディアの視聴者のてんかんの発症、頭痛、易刺激性、眼精疲労、吐き気もしくはこれらの組合せの発生及び／又は誘発を減少もしくは防止させる方法であり、該方法は、視聴者の観る少なくとも１のビデオフレームを、対応する制限されたビデオフレームに取り替えることにより行われる。いくつかの実施形態において、制限された各ビデオフレームは、少なくとも１の制限されたフレームサブユニットを有し、制限されたフレームサブユニットは、最大差分よりも大きい量、１又はもしくはそれより多い非制限フレームサブユニットとは異ならない。特定の実施形態において、制限されたビデオフレーム及び／又は制限されたフレームサブユニットは、本明細書記載の任意工程に基づいて、又は本明細書記載のシステム又は装置（フレーム間及び／又はフレーム内処理を含む）により処理される。
【０１１１】
特定の実施形態において、本明細書に記載される任意の処理、方法、システム及び装置の最大差分及び／又はx値は、自動的に設定される、ユーザにより設定される、前もって定義される、工場で設定されるもしくはこれらの組合せである。特定の実施形態において、値が自動的に設定される場合、自動設定の基礎となるのは、任意のソースであり、該ソースは限定することではないが、過去のユーザの選択及び／又は工場の設定を含む。特定の実施形態において、自動的に設定されるフレーム間の最大差分は、例えば、フレーム内のフレームサブユニットの平均的な輝度に基づいて設定される。いくつかの実施形態において、自動的な値は、温度、湿度、気圧などを含む環境パラメータに基づいて、設定される、又は値は、自動的に調整される。いくつかの実施形態において、工場の設定は、フォーカスグループにより決定される、フォーカスグループの視聴者における、例えば、神経性反応、眼精疲労、吐き気、偏頭痛、てんかんの発症、易刺激性及び／又は乗り物酔いに基づいて、決定される。特定の実施形態において、本明細書で提示される工程及び／又はシステムは、ビデオスタンダード(video standards)（例えば、MPE、DivX）及び／又はコンピュータビデオスタンダード(computer video standards)(例えば、DirectX)に加えて提供される。
【図１】
2011519500.tif 000003
【図２】
2011519500.tif 000004
【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
視覚メディアにおける差分を減少させるシステムであって、前記システムは、
（a）ビデオフレーム内のフレームサブユニット間の最大差分を設定するインプットを受信するよう構成されたモジュール、もしくは該インプットを設定するよう構成されたモジュールと、
（b）ビデオフレーム（n）内の複数のフレームサブユニットを互いに比較するよう構成されたモジュールと、
（c）１もしくはそれより多いビデオフレーム(n)のフレームサブユニットが１もしくはそれより多い他のビデオフレーム（n）のサブユニットと、前記最大差分よりも大きい量、異なるかどうかを決定するよう構成されるモジュールと、
（d）１もしくはそれより多い他のビデオフレーム（n）のサブユニットとは、フレーム（n）の制限されたフレームサブユニットを形成するよう設定された前記最大差分よりも大きい量異なる１もしくはそれより多いフレーム（n）のフレームサブユニットを制限するよう構成されたモジュールを備えることを特徴とする、システム。
【請求項２】
（a）ビデオストリームのビデオフレーム（n）をバッファリングするように構成されるモジュールと、（b）ビデオフレーム（n）を前記複数のフレームサブユニットにデコードするよう構成されるモジュールをさらに備えることを特徴とする、請求項１記載のシステム。
【請求項３】
前記システムはさらに、モジュールを備え、該モジュールは、ビデオフレーム（n）の少なくとも１つの制限されたフレームサブユニットを有するビデオフレーム（n）のフレームサブユニットを組み立てて、補正されたビデオフレーム（n）として、組み立てられたフレームサブユニットの組み立てられたマトリックスを形成するよう構成されることを特徴とする、請求項１記載のシステム。
【請求項４】
フレーム（n）の前記制限されたフレームサブユニットは、前記最大差分よりも大きい量、フレーム(n)の１もしくはそれより多い非制限フレームサブユニットとは異ならないことを特徴とする、請求項１記載のシステム。
【請求項５】
視覚メディアの差分を減少させるシステムであって、該システムは、
（a）ビデオフレーム（n）のフレームサブユニットと先行するビデオフレーム（n-x）のフレームサブユニットとの間の最大差分を設定するインプットを受信するよう構成されたモジュール、もしくは該インプットを設定するよう構成されたモジュールと、
（b）ビデオフレーム（n）のフレームサブユニットと、ビデオフレーム（n-x）のフレームサブユニットを比較するよう構成されたモジュールと、
（c）ビデオフレーム(n)のフレームサブユニットがビデオフレーム（n-x）のフレームサブユニットと、最大差分よりも大きい量、異なるかどうかを決定するよう構成されるモジュールと、
（d）フレーム（n）の制限されたフレームサブユニットを形成するために、ビデオフレーム（n-x）のサブユニットとは最大差分よりも大きい量異なるフレーム（n）のフレームサブユニットを制限するよう構成されたモジュールを備え、
ビデオフレーム（n-x）は、ビデオフレーム（n）よりｘフレーム前のビデオフレームであることを特徴とする、システム。
【請求項６】
前記差分は、輝度、色又はこれらの組み合わせの差分であることを特徴とする、請求項１又は請求項５のいずれか記載のシステム。
【請求項７】
前記差分は輝度であり、ビデオフレーム(n)の前記フレームサブユニットが、ビデオフレーム（n-x）のフレームサブユニットと、前記最大輝度差分よりも大きい量、異なるかどうかを決定するよう構成されるモジュールが構成されることで、ビデオフレーム（n）のフレームサブユニットの前記輝度が、ビデオフレーム（n-x）の前記フレームサブユニットにおける前記輝度よりも、前記最大輝度差分より大きい量、大きいかどうかを決定することを特徴とする、請求項６記載のシステム。
【請求項８】
前記システムはさらにモジュールを備え、該モジュールはビデオストリームのビデオフレーム（n）と（n-x）をバッファリングするとともに、ビデオフレーム（n）と（n-x）を複数のフレームサブユニットにデコードするよう構成されることを特徴とする、請求項５記載のシステム。
【請求項９】
前記システムはさらにモジュールを備え、該モジュールは、ビデオフレーム（n）の少なくとも１つの制限されたフレームサブユニットを有するビデオフレーム（n）のフレームサブユニットを組み立てて、補正されたビデオフレーム（n）として、組み立てられたフレームサブユニットの組み立てられたマトリックスとするよう構成されることを特徴とする、請求項５記載のシステム。
【請求項１０】
前記フレームサブユニットはMPEGマクロブロックであることを特徴とする請求項１又は請求項５のいずれか記載のシステム。
【請求項１１】
前記最大差分は、自動的に設定される、ユーザにより設定される、前もって定義される、工場で設定されるもしくはこれらの組合せであることを特徴とする、請求項１又は請求項５記載のシステム。
【請求項１２】
フレーム（n）の制限されたフレームサブユニットは、比較されるフレーム（n-x）のフレームサブユニットとは、最大差分よりも大きい量異ならないことを特徴とする、請求項５記載のシステム。
【請求項１３】
視覚メディアにおける差分を減少させるシステムであって、前記システムは、
（a）ビデオフレーム内のフレームサブユニット間の最大差分を設定するインプットを受信するよう構成されたモジュール、もしくは該インプットを設定するよう構成されたモジュールと、
（b）ビデオフレーム（n）内の複数のフレームサブユニットを互いに比較するよう構成されたモジュールと、
（c）１もしくはそれより多いビデオフレーム(n)のフレームサブユニットが１もしくはそれより多い他のビデオフレーム（n）のサブユニットと、前記最大差分よりも大きい量、異なるかどうかを決定するよう構成されるモジュールと、
（d）１もしくはそれより多い他のビデオフレーム（n）のサブユニットとは、フレーム（n）の制限されたフレームサブユニットを形成するよう設定された前記最大差分よりも大きい量異なる１もしくはそれより多いフレーム（n）のフレームサブユニットを制限するよう構成されたモジュールと、
（e）ビデオフレーム（n）のフレームサブユニットと先行するビデオフレーム（n-x）のフレームサブユニットとの間の最大差分を設定するインプットを受信するよう構成されたモジュール、もしくは該インプットを設定するよう構成されたモジュールと、
（f）ビデオフレーム（n）のフレームサブユニットと、ビデオフレーム（n-x）のフレームサブユニットを比較するよう構成されたモジュールと、
（g）ビデオフレーム(n)の前記フレームサブユニットがビデオフレーム（n-x）の前記フレームサブユニットと、前記最大差分よりも大きい量、異なるかどうかを決定するよう構成されるモジュールと、
（h）フレーム（n）の制限されたフレームサブユニットを形成するために、ビデオフレーム（n-x）のサブユニットとは前記最大差分よりも大きい量異なるフレーム（n）のフレームサブユニットを制限するよう構成されたモジュールを備え、
ビデオフレーム（n-x）は、ビデオフレーム（n）よりxフレーム前のビデオフレームであることを特徴とする、システム。
【請求項１４】
読み取り可能なメディア上に保存される制限されたビデオフレームであって、該制限されたビデオフレームは少なくとも１の制限されたフレームサブユニットを有し、前記制限されたフレームサブユニットは、最大差分よりも大きい量、１又はそれより多い非制限フレームサブユニットとは異ならないことを特徴とする、制限されたビデオフレーム。
【請求項１５】
xが１から１００であることを特徴とする、請求項１乃至請求項１４いずれか記載のシステム。
【国際調査報告】
2011519500.tif 000005
2011519500.tif 000006
2011519500.tif 000007